(57)【特許請求の範囲】
【請求項１】
携帯型のモニタ装置と、前記モニタ装置と別体の電話器を有し、
前記モニタ装置が前記モニタ装置に装着された記録媒体に記録されているオーディオ信号を再生してヘッドホンから出力し、
前記電話器で着信が検出されると、無線による伝送路を介した前記モニタ装置からの通知により、前記モニタ装置が、前記ヘッドホンからオーディオ信号を出力しているか否か前記電話器で判定し、
前記モニタ装置が、前記ヘッドホンからオーディオ信号を出力している場合、
前記電話器から前記モニタ装置に、前記伝送路を介して着信を通知し、前記モニタ装置の前記ヘッドホンから着信音を出力した後、
前記伝送路を介して、通話対象の音声信号を前記電話器から前記モニタ装置に伝送して前記モニタ装置の前記ヘッドホンから出力すると共に、前記モニタ装置のマイクによる音声信号を前記電話器で取得して前記通話対象に送出し、
前記モニタ装置が、前記ヘッドホンからオーディオ信号を出力していない場合、
前記電話器の振動により、又は前記電話器の着信音により、前記着信をユーザーに通知する
モニタシステム。
【請求項２】
オーディオ信号を再生する再生装置をさらに有し、
前記再生装置が前記電話機、または前記モニタ装置および前記電話機とは異なる装置からなり、
前記再生装置は、前記再生装置に装着された記録媒体に記録されているオーディオ信号を再生し、無線による伝送路を介して前記モニタ装置に伝送し、
前記モニタ装置は、前記モニタ装置に装着された記録媒体に記録されているオーディオ信号を再生して前記ヘッドホンから出力する代わりに、前記再生装置から伝送されたオーディオ信号を前記ヘッドホンから出力する
請求項１に記載のモニタシステム。
【発明の詳細な説明】
【０００１】
【発明の属する技術分野】
本発明は、モニタシステムに関し、例えばヘッドホンにより音楽を試聴する携帯機器に適用することができる。本発明は、モニタ装置より着信音を出力した後、このモニタ装置との間で音声信号を送受してモニタ装置で取得した音声信号を通話対象に送出すると共に、通話対象の音声信号をモニタ装置より出力することにより、音楽等をヘッドホンで楽しんでいる場合であっても、電話の着信を認識してスムーズに会話することができるようにする。
【０００２】
【従来の技術】
従来、携帯型オーディオ機器においては、ミニディスク、テープカセット等に記録した音楽コンテンツをヘッドフォンにより試聴できるようになされている。これに対してこのような携帯して使用する機器として携帯電話が広く普及するようになされている。
【０００３】
【発明が解決しようとする課題】
ところが従来のこの種の携帯機器においては、機器間の連係が不十分な欠点がある。すなわち例えば携帯型のオーディオ機器によりヘッドフォンで音楽を聞いている場合には、ユーザーにおいて、携帯電話における着信を認識できない欠点がある。
【０００４】
この問題を解決する１つの方法として、例えば特開平９−２００３０２号公報においては、ポータブル電子機器とヘッドフォンの間に呼び出し装置を設け、この呼び出し装置によりヘッドフォンを介して電話の着信をユーザーに通知する方法が開示されている。また特開平１１−１７７８８号公報においては、オーディオ信号を再生するヘッドフォンに所定のアダプタを介して電話器の音を伝達する構成が開示されるようになされている。
【０００５】
ところがこれらの構成においては、ヘッドフォン等を着用したまま電話の着信を確認できるものの、この着信による応答については、結局、電話器を使用することになる。
【０００６】
本発明は以上の点を考慮してなされたもので、音楽等をヘッドホンで楽しんでいる場合であっても、電話の着信を認識してスムーズに会話することができるモニタシステムを提案しようとするものである。
【０００７】
【課題を解決するための手段】
かかる課題を解決するため請求項１の発明においては、携帯型のモニタ装置と、前記モニタ装置と別体の電話器を有し、前記モニタ装置が前記モニタ装置に装着された記録媒体に記録されているオーディオ信号を再生してヘッドホンから出力し、前記電話器で着信が検出されると、無線による伝送路を介した前記モニタ装置からの通知により、前記モニタ装置が、前記ヘッドホンからオーディオ信号を出力しているか否か前記電話器で判定し、前記モニタ装置が、前記ヘッドホンからオーディオ信号を出力している場合、前記電話器から前記モニタ装置に、前記伝送路を介して着信を通知し、前記モニタ装置の前記ヘッドホンより着信音を出力した後、前記伝送路を介して、通話対象の音声信号を前記電話器から前記モニタ装置に伝送して前記モニタ装置の前記ヘッドホンから出力すると共に、前記モニタ装置のマイクによる音声信号を前記電話器で取得して前記通話対象に送出し、前記モニタ装置が、前記ヘッドホンからオーディオ信号を出力していない場合、前記電話器の振動により、又は前記電話器の着信音により、前記着信をユーザーに通知する。
【０００９】
請求項１の構成によれば、ユーザーがモニタ装置により音楽等を楽しんでいる場合でも、電話の着信を通知することができる。またその後、音楽を試聴していた状態のまま、通話対象と会話することができる。これにより音楽等をヘッドホンで楽しんでいる場合にであっても、電話の着信を認識してスムーズに会話することができる。
【００１０】
また請求項３の構成によれば、所定の音源より出力されるオーディオ信号をスピーカより出力する携帯型のモニタ装置に適用して、無線による伝送路を介して、所定の電話器より着信が通知されると、オーディオ信号の出力に代えて、着信音をスピーカより出力し、又はオーディオ信号の出力を抑圧して、着信音をスピーカより出力することにより、ユーザーが音楽等を楽しんでいる場合でも、電話の着信を通知することができる。また伝送路を介して電話器より伝送される通話対象の音声信号をスピーカより出力すると共に、所定のマイクで取得した音声信号を電話器に伝送することにより、その後、音楽を試聴していた状態のまま、通話対象と会話することができる。これにより音楽等をヘッドフォンで楽しんでいる場合にであっても、電話の着信を認識してスムーズに会話することができる。
【００１１】
【発明の実施の形態】
以下、適宜図面を参照しながら本発明の実施の形態を詳述する。
【００１２】
（１）第１の実施の形態
（１−１）第１の実施の形態の構成
図１は、本発明の第１の実施に形態に係る情報提供システムを示す平面図及び斜視図である。この情報提供システム１は、ヘッドホン型のモニタ装置２と、双方向通信であるBluetooth によりこのモニタ装置２との間でモニタ対象等のデータを送受する携帯電話３とにより構成される。これにより情報提供システム１では、携帯電話３で音楽コンテンツを再生してモニタ装置２で試聴できるようになされ、またモニタ装置２を装着したまま電話の着信を確認し、さらには通話対象と会話できるようになされている。なおこの実施の形態の構成は、本願の参考例を示すものである。
【００１３】
なおここで、Bluetooth は、２．４〔ＧＨｚ〕帯の周波数を使用したＳＳ方式による近距離通信の方式であり、モニタ装置２及び携帯電話３は、それぞれ事前の登録、各機器に設定された機器ＩＤ等の確認により以下に説明する処理を実行するようになされ、これにより近傍に配置された同種のBluetooth 通信可能な機器に対して誤ってオーディオデータを送信する等の動作を防止するようになされている。
【００１４】
ここでモニタ装置２は、耳当て４及び５により覆われたスピーカ６及び７を所定の部材８により接続して形成される。モニタ装置２は、一方の耳当て４にアンテナ９、マイク１０、各種操作子１１が配置され、さらにこの耳当ての４の内側にスピーカ６、７の駆動回路等が収納されるようになされている。
【００１５】
これに対して携帯電話３は、略長方形形状の筐体の正面に、スピーカ１３、液晶表示パネルによる表示部１４、各種操作子１５、マイク１６等が配置され、さらに上方に電話用のアンテナ１７が、側方にはモニタ装置２との間の無線通信のアンテナ１８が配置されるようになされている。またモニタ装置２は、側方に開口が形成され、矢印Ａにより示すように、この開口にメモリカード１９を挿入して、このメモリカード１９に記録した音楽コンテンツをモニタ装置２で試聴できるようになされている。
【００１６】
図２は、モニタ装置２を示すブロック図である。モニタ装置２は、アンテナ９で受信した信号を受信部２２により処理することにより、このモニタ装置２に対するコマンド、各種データを受信する。受信部２２は、Bluetooth 通信に係る受信部であり、このようにして受信したコマンド等を制御部２３に通知する。また制御部２３の制御により、受信したオーディオデータによりスピーカ６、７を駆動し、これにより携帯電話３で再生された音楽コンテンツをスピーカ６、７により試聴できるようにする。
【００１７】
また送信部２４は、Bluetooth 通信に係る送信部であり、制御部２３の制御により携帯電話３に各種コマンドを送出し、またマイク１０より得られる音声信号を携帯電話３に送信する。制御部２３は、このモニタ装置２の動作を制御するコントローラであり、操作子１１の操作、携帯電話３からの通知に応動して全体と動作を切り換え、また携帯電話３に各種コマンド等を送出する。制御部２３は、これらの制御において、スピーカ６、７を介して携帯電話３における電話の着信をユーザーに通知し、またマイク１０、スピーカ６、７を介してこの着信に係る通話対象と通話できるようにする。またこれとは逆に、操作子１１の操作により呼の送出を携帯電話３に指示し、その後マイク１０、スピーカ６、７を介してこの発呼に係る通話対象と通話できるようにする。
【００１８】
図３は、携帯電話３を示すブロック図である。携帯電話３において、送信部３１及び受信部３２は、一般の携帯電話の機能を担う送信部及び受信部であり、制御部３３の制御によりアンテナ１７を介して着信、発呼に係る一連の処理を実行する。また送信部３１及び受信部３２は、マイク１６より得られるユーザーの音声信号をアンテナ１７を介して通話対象に送信し、またこの通話対象の音声信号をアンテナ１７を介して受信し、スピーカ１３に出力する。これによりこの携帯電話３は、通常の携帯電話と同様に、マイク１６及びスピーカ１３により通話できるようになされている。
【００１９】
これに対して送信部３４及び受信部３５は、Bluetooth 通信に係る送信部及び受信部であり、制御部３３の制御によりモニタ装置２との間で種々のデータを入出力する。
【００２０】
選択回路３６は、制御部３３の制御により、マイク１６及びスピーカ１３を用いた携帯電話の通話を、モニタ装置２を用いた通話に切り換える選択回路であり、マイク１６より出力される音声信号、受信部３５で受信される音声信号を選択的に送信部３１に出力すると共に、この選択的な音声信号の出力に対応するように、受信部３２で受信した音声信号をスピーカ１３、送信部３４に選択的に出力する。
【００２１】
音楽再生部３８は、制御部３３の制御によりメモリカード１９に記録されたオーディオデータを順次読み出して送信部３４に出力し、これによりモニタ装置２によりメモリカード１９に記録された音楽コンテンツを試聴できるようにする。
【００２２】
選択回路４０は、この音楽再生部３８より出力されるオーディオデータに代えて、受信部３２から出力される音声信号を送信部３４の選択的に出力する選択回路であり、これにより携帯電話３では、着信が検出されると、再生中の音楽コンテンツのオーディオ信号に代えて着信音をモニタ装置２に送出できるようになされている。
【００２３】
制御部３３は、この携帯電話３の動作を制御するコントローラであり、受信部３２で検出される制御チャンネルの受信結果に基づいて、所定のタイミングで送信部３１を制御してメッセージを送出する。またこのようにして基地局からの発呼を受信可能にした状態で、受信部３２における受信結果に基づいて、着信を検出し、この着信の検出により通話できるように全体の動作を制御する。また受信部３５を介して検出されるモニタ装置２の制御により、又は操作子１５の操作により、発呼の処理を実行して通話対象と通話できるようにする。さらに同様に、受信部３５を介して検出されるモニタ装置２の制御により、又は操作子１５の操作により音楽再生部３８の動作を制御し、これによりメモリカード１９に記録された音楽コンテンツをモニタ装置２で試聴できるようにする。この一連の制御において、制御部３３は、携帯電話３単体で、又はモニタ装置２により通話対象と通話できるようにする。
【００２４】
（１−２）各制御部の処理
すなわち制御部３３は、操作子１５の操作により携帯電話３側でメモリカード１９の再生が指示されると、モニタ装置２を特定したコマンドの送出によりモニタ装置２の制御部２３との間でオーディオデータの再生に必要な種々のデータを交換する。これによりモニタ装置２側の制御部２３においては、電源を立ち上げ、続くオーディオデータの受信を待機する。制御部３３は、このようにしてモニタ装置２側の準備が整うと、続いてメモリカード１９の再生を指示して順次再生されるオーディオデータをモニタ装置２に送信し、またモニタ装置２においては、制御部２３の制御により順次受信されるオーディオデータによりスピーカ６、７を駆動する。またユーザーにより携帯電話３の操作子１５が操作されて動作の停止が指示された場合、メモリカード１９の再生を中止してオーディオデータの送信を中止し、また動作の停止をモニタ装置２に通知し、これにより必要に応じてモニタ装置２側で電源を停止できるようにする。またこれに代えて、モニタ装置２で操作子１１が操作されて動作の停止がユーザーにより指示された場合、モニタ装置２の制御部２３の制御によりモニタ装置２から携帯電話３に動作の停止が指示され、制御部３３は、この指示に応じてメモリカード１９の再生を中止してオーディオデータの送信を中止する。またモニタ装置２においては、このような動作の停止の通知の後、制御部２３の制御により電源が立ち下げられる。これによりこの情報提供システム１では、携帯電話３側の操作によりメモリカード１９に記録された音楽コンテンツの再生を開始し、この音楽コンテンツをモニタ装置２により試聴できるようになされ、またこのようにして開始した音楽コンテンツの再生をモニタ装置２の操作により、又は携帯電話側の操作により停止できるようになされている。なお図４は、このようにして音楽コンテンツを再生している場合の、オーディオデータの処理を示すブロック図である。
【００２５】
これに対してモニタ装置２側における操作子１１の操作によりユーザーが音楽コンテンツの再生を指示した場合、モニタ装置２の制御部２３は、この操作子１１の操作の通知等によるデータ交換を携帯電話３との間で実行し、これにより情報提供システム１では、携帯電話３側における操作子１５の操作による場合と同様にして、音楽コンテンツの再生を開始し、さらにはこの音楽コンテンツの再生を停止する。
【００２６】
また携帯電話３の制御部３３は、操作子１５の操作により携帯電話３側で所望の通話対象に対する発呼が指示されると、送信部３１の制御によりこの通話対象に対する呼を送信する。さらにこの呼に対する応答が通話対象より得られると、送信部３１及び受信部３２の制御によりこの通話対象の音声信号をスピーカ１３から出力し、またマイク１６の音声信号を通話対象に送出する。また制御部３３は、このようにして通話を開始した後、ユーザーによる操作子１５の操作により通話の終了が検出されると、オフフック信号を送出して回線を遮断する。これにより携帯電話３では、通常の携帯電話と同様に、所望の通話対象を呼び出して通話できるようになされ、さらには通話を終了できるようになされている。
【００２７】
この制御において携帯電話３の制御部３３は、メモリカード１９を再生している状態でユーザーによるこのような指示が入力されると、メモリカード１９の再生を一時停止し、またモニタ装置２へのオーディオデータの送出を中止する。さらに選択回路３６、４０の設定を切り換え制御し、発呼音、通話対象の音声のスピーカ１３からの出力に代えて、これら発呼音、通話対象の音声をモニタ装置２のスピーカ６、７から出力し、またマイク１６に代えて、モニタ装置２のマイク１０より取得される音声信号を通話対象に送出する。これによりこの情報提供システム１では、携帯電話３の操作により通話対象を呼び出した後、この通話対象との間でモニタ装置２を使用して通話できるようになされている。
【００２８】
またこのようにして通話を開始した後において、ユーザーによる操作子１５の操作により通話の終了が検出されると、制御部３３は、オフフック信号を送出して回線を遮断した後、選択回路３６、４０を元の状態に戻し、さらに音楽再生部３８の制御により一時停止を解除する。これに対してモニタ装置２の制御部２３においては、同様に通話を開始した後、ユーザーによる操作子１１の操作により通話の終了が検出されると、これを携帯電話３の制御部３３に通知する。このようにして通知を受けた場合、制御部３３は、操作子１５の操作により通話を終了する場合と同様に、全体の動作を制御し、これにより通話を終了してオーディオ信号の再生を開始制御する。これによりこの情報提供システム１では、携帯電話３の操作によりモニタ装置２を使用して通話を開始した後、携帯電話３の操作により、又はモニタ装置２側の操作により、通話を終了すると共に、音楽の試聴を再開できるようになされている。
【００２９】
これに対してモニタ装置２側における操作子１１の操作によりユーザーが発呼を指示した場合、モニタ装置２の制御部２３は、この操作の通知等によるデータ交換を携帯電話３との間で実行し、この通知により携帯電話３の制御部３３は、操作子１１の操作により通話対象の入力を受け付け、この通話対象に対する呼を送信する。さらに制御部３３は、メモリカード１９を再生している状態で操作子１５の操作により呼を発した場合と同様に、上途したと同様にモニタ装置２、携帯電話３の動作を切り換える。これにより情報提供システム１では、モニタ装置２側の操作によっても通話対象を呼び出し、この通話対象との間でモニタ装置２を使用して通話できるようになされている。なおこのようにして通話を開始した後においては、携帯電話３の操作により通話を開始した後、モニタ装置２を介して通話する場合と同様に、携帯電話３の操作により、又はモニタ装置２側の操作により、通話を終了すると共に、音楽の試聴を再開できるようになされている。
【００３０】
また携帯電話３の制御部３３は、受信部３２により着信が通知されると、スピーカ１３を介して、また図示しない振動機構の駆動により、この着信をユーザーに通知する。さらにこの着信の通知による操作子１５の操作により、いわゆるオフフックに対応する操作が検出されると、送信部３１の制御により基地局にオフフックを通知する。続いて制御部３３は、通話対象との間の回線が接続されると、送信部３１及び受信部３２の制御によりこの通話対象の音声信号をスピーカ１３から出力し、またマイク１６の音声信号を通話対象に送出する。これにより携帯電話３では、通常の携帯電話と同様に、着信を検出して通話対象と通話できるようになされている。また制御部３３は、このようにして通話を開始した後、ユーザーによる操作子１５の操作により通話の終了が検出されると、オンフック信号を送出して回線を遮断する。これにより携帯電話３では、通常の携帯電話と同様に、着信を処理して通話できるようになされ、さらには通話を終了できるようになされている。
【００３１】
この制御において携帯電話３の制御部３３は、メモリカード１９を再生している状態で着信が通知入力されると、メモリカード１９の再生を一時停止し、またモニタ装置２へのオーディオデータの送出を中止する。さらに選択回路３６、４０の切り換えによりオーディオデータに代えて、着信音をモニタ装置２に送出する。これによりこの情報提供システム１では、モニタ装置２で着信音を発生して携帯電話３の着信をユーザーに通知するようになされている。
【００３２】
この着信音によりユーザーが操作子１１を操作すると、モニタ装置２の制御部２３は、この操作を携帯電話３に通知し、この通知を受けた制御部３３は、基地局にオフフックを通知する。これにより携帯電話３は、通話対象との間の回線が接続されると、通話対象の音声信号をモニタ装置２のスピーカ６、７から出力し、またモニタ装置２のマイク１６で取得した音声信号を通話対象に送出する。これによりこの情報提供システム１では、わざわざ携帯電話３を把持しなくても、モニタ装置２を装着したままの状態で通話できるようになされ、その分使い勝手を向上できるようになされている。
【００３３】
かくしてこのようにして通話を開始した後において、情報提供システム１では、発呼によりモニタ装置２を介して通話している場合と同様に、モニタ装置２の操作により、又は携帯電話３の操作により回線を遮断し、オーディオ信号の再生を再開するようになされている。
【００３４】
かくするにつき図５は、このようにモニタ装置２によりオーディオ信号を試聴している場合に、着信があった場合の着信の通知を示すブロック図であり、図６は、通話中の音声信号の流れを示すブロック図である。情報提供システム１では、通話を終了すると、図５に示す状態において、選択回路４０の接点を音楽再生部３８側に切り換えてオーディオデータをモニタ装置２に送出することになる。
【００３５】
（１−３）第１の実施の形態の動作
以上の構成において、この情報提供システム１において（図１）、携帯電話３は、通常の携帯電話と同様に、ユーザーによる操作子１５の操作に応動して発呼、着信の処理を実行し、マイク１６、スピーカ１３を介して通話対象と通話できるようになされ、また操作子１５の操作により通話を終了できるようになされている。
【００３６】
これに対して携帯電話３の操作により、又はモニタ装置２の操作により、メモリカード１９に記録された音楽コンテンツの再生が指示されると、携帯電話３において、ＩＣカード１９に記録されたオーディオデータが順次読み出されて無線通信によりモニタ装置２に通知され、モニタ装置２のスピーカ６、７よりこの音楽を試聴することが可能となる。
【００３７】
このようにして音楽を試聴している状態で、携帯電話３の操作により、又はモニタ装置２の操作により、発呼が指示されると、携帯電話３において一連の回線接続処理が実行され、また音楽の再生が一時停止される。さらに携帯電話３で受信された通話対象の音声信号がモニタ装置２に伝送されてスピーカ６、７より出力され、またモニタ装置２のマイク１０で取得された音声信号が携帯電話３に伝送されて通話対象に送信される。これによりこの情報提供システム１では、いちいちモニタ装置２を取り外さなくても、所望の通話対象と通話することができ、その分使い勝手を向上することができる。
【００３８】
また携帯電話３の操作により、又はモニタ装置２の操作により、通話の終了が指示されると、携帯電話３により回線が遮断された後、元の音楽の再生が開始される。
【００３９】
これに対して音楽を試聴している状態で、着信があると、音楽の再生が一時停止され、着信音が携帯電話３よりモニタ装置２に無線伝送され、この着信音がスピーカ６、７より出力される。これにより音楽を試聴している場合でも、確実に着信を通知することができる。
【００４０】
さらにこの着信の通知により、ユーザーが携帯電話３の操作によりオフフックした場合には携帯電話３の制御部３３におけるこの操作の検出により、またモニタ装置２の操作によるユーザーのオフフックの場合には、モニタ装置２からの通知により、携帯電話３において回線接続処理が実行される。さらにその後、携帯電話３で受信された通話対象の音声信号がモニタ装置２に伝送されてスピーカ６、７より出力され、またモニタ装置２のマイク１０で取得された音声信号が携帯電話３に伝送されて通話対象に送信される。これによりこの情報提供システム１では、いちいちモニタ装置２を取り外さなくても、着信を処理して通話対象と通話することができ、その分使い勝手を向上することができる。
【００４１】
（１−４）第１の実施の形態の効果
以上の構成によれば、モニタ装置より着信音を出力した後、このモニタ装置との間で音声信号を送受してモニタ装置で取得した音声信号を通話対象に送出すると共に、通話対象の音声信号をモニタ装置より出力することにより、音楽等をヘッドフォンで楽しんでいる場合であっても、電話の着信を認識してスムーズに会話することができる。
【００４２】
（２）第２の実施の形態
（２−１）第２の実施の形態の構成
図７は、第２の実施の形態に係る情報提供システムを示す平面図及び斜視図である。この図７に示す構成において、図１について上述した情報提供システム１と同一の構成は、対応する符号を付して示し、重複した説明は省略する。
【００４３】
この情報提供システム５１において、モニタ装置５２は、携帯電話５３から供給されるオーディオデータによる動作に代えて、再生装置５４から供給されるオーディオデータにより動作する点を除いて、情報提供システム１のモニタ装置２と同一に構成される。このためモニタ装置５２は、図２との対比により図８に示すように、この音源の相違に対応する処理手順を制御部５５により実行するように構成される。すなわち制御部５５は、オーディオデータの再生に関する処理については、再生装置５４との間のデータ交換により実行するのに対し、携帯電話５３に関する処理においては、携帯電話５３との間のデータ交換により実行する。
【００４４】
またこのモニタ装置５２の構成の相違により、図３との対比により図９に示すように、携帯電話５３は、メモリカード１９に関する構成が省略され、制御部５６でこの構成の相違に対応する処理手順を実行するようになされている。すなわち制御部５６は、モニタ装置５２との間のデータ交換により、電話の発呼、着信の処理を実行する。
【００４５】
これに対して再生装置５４は（図７）、筐体の表面に、液晶表示パネルによる表示部５７、操作子５８、スピーカ５９が配置され、側方にメモリカード１９の挿入口が作成され、また逆側の側方にアンテナ６０が配置されるようになされている。
【００４６】
図１０は、この再生装置５４を示すブロック図である。再生装置５４において、音楽再生部６４は、制御部６３の制御によりメモリカード１９に記録されたオーディオデータを再生し、続く選択回路６５の設定によりこのオーディオデータによりスピーカ５９を駆動し、または送信部６６を介してこのオーディオデータをモニタ装置５２に出力する。かくするにつき送信部６６及び受信部６７は、Bluetooth 通信に係る送信部及び受信部である。
【００４７】
（２−２）各制御部の処理
各制御部５５、５６、６３は、電源起動時等における周辺機器への呼び掛けにより、相互の機器を認証し、この認証結果に基づいて各機器を特定したデータ交換により以下に詳述する処理を実行する。
【００４８】
モニタ装置５２の制御部５５は、操作子１１の操作によりユーザーがオーディオデータの再生を指示すると、再生装置５４にオーディオデータの再生を指示する。再生装置５４の制御部６３は、このようにしてモニタ装置５２からオーディオデータの再生が指示されると、又は操作子５８の操作によりユーザーより直接オーディオデータの再生が指示されると、メモリカード１９の再生を開始し、再生したオーディオデータをモニタ装置５２へ送信する。なお制御部６３は、スピーカ５９による再生をユーザーが指示した場合には、再生したオーディオデータのモニタ装置５２への出力に代えて、スピーカ５９より出力するように選択回路６５の接点を切り換え制御する。
【００４９】
また携帯電話の制御部５６は、操作子１５の操作によりユーザーが発呼を指示すると、ユーザーの指示した通話対象に対して発呼を送出し、この通話対象より応答が得られると、マイク１６で取得した音声信号を通話対象に送出し、また通話対象より得られる音声信号をスピーカ１３から出力する。これにより携帯電話５３では、一般の携帯電話と同様に単体で操作して通話できるようになされている。
【００５０】
これに対してモニタ装置５２の制御部５５は、操作子１１の操作によりユーザーが携帯電話による通話を選択すると、携帯電話５３に通知する。携帯電話５３の制御部５６においては、この通知により操作子１５を操作して選択された通話対象に対して発呼を送信し、またこの発呼音をモニタ装置５２に送信する。さらに通話対象より応答が得られると、モニタ装置５２に通知し、この通知によりモニタ装置５２のマイク１０で取得した音声信号をモニタ装置５２より受信して通話対象に送出する。また通話対象より受信した音声信号をモニタ装置５２に送信し、モニタ装置５２のスピーカ６、７より出力する。これによりこの情報提供システム１では、モニタ装置５２を装着したまま、所望の通話対象に電話をかけることができるようになされている。
【００５１】
この一連の発呼に関する処理において、モニタ装置５２で再生装置５４で再生されたオーディオデータを試聴している場合、モニタ装置５２の制御部５５は発呼音を出力している期間の間、さらには通話している期間の間、メモリカード１９の再生の一時停止を指示する。
【００５２】
これに対して携帯電話５３の制御部５６は、着信が検出されると、モニタ装置５２の状態を判定する。すなわちこの着信時における再生装置５４又はモニタ装置５２への問い合わせにより、又はモニタ装置５２又は再生装置５４からの処理状況の定期的な通知により、さらにはこれらの機器が動作を切り換えた場合の通知により、モニタ装置５２でオーディオデータを試聴中か否か判断する。
【００５３】
ここで試聴中でないと判断される場合、この場合ユーザーがモニタ装置５２を装着していない場合と考えられることにより、携帯電話５３の制御部５６は、一般の携帯電話と同様に、振動により、又はスピーカ５９からの着信音の出力により、着信を通知する。これに対してモニタ装置５２でオーディオデータを再生している場合、携帯電話５３の制御部５６は、電話の着信をモニタ装置５２に通知し、さらに着信音をモニタ装置５２に送信する。
【００５４】
モニタ装置５２の制御部５５は、この着信の通知によりオーディオデータの再生の一時停止を再生装置５４に指示し、また再生装置５４から送信されるオーディオデータに代えて、携帯電話５３から送信される着信音をスピーカ６、７から出力する。さらにこの着信音の出力によりユーザーが操作子１１を操作してオフフックに相当する操作を実行した場合、この操作を携帯電話５３に通知する。またマイク１０で取得される音声信号を携帯電話５３に送信する。
【００５５】
携帯電話の制御部５６は、この通知により回線接続処理を実行する。さらにモニタ装置５２より送信される音声信号を通話対象に送出し、また通話対象より受信した音声信号をモニタ装置５２に送信し、モニタ装置５２のスピーカ６、７から出力する。これによりこの情報提供システム５１でも、着信を確認してスムーズに会話できるようになされている。
【００５６】
モニタ装置５２の制御部５５は、このようにして会話を開始した後、ユーザーが操作子１１を操作してオンフックに相当する操作が実行された場合、この操作を携帯電話５３に通知した後、再生装置５４に一時停止の解除を指示する。これによりこの情報提供システム５１では、通話を終了して再び音楽を楽しむことができるようになされている。
【００５７】
これに対してこのようなオンフックに相当する操作が携帯電話５３側で実行された場合、携帯電話５３の制御部５６は、回線を遮断すると共に、モニタ装置５２に回線の遮断を通知し、モニタ装置５２の制御部５５においては、この通知により再生装置５４に一時停止の解除を指示する。これによりこの場合でも、通話を終了して再び音楽を楽しむことができるようになされている。
【００５８】
（２−３）第２の実施の形態の効果
以上の構成によれば、音源を別途配置するようにしても、第１の実施の形態と同様の効果を得ることができる。
【００５９】
（３）他の実施の形態
なお上述の実施の形態においては、音源を携帯電話及び再生装置に配置する場合について述べたが、本発明はこれに限らず、音源をモニタ装置に配置する場合にも広く適用することができる。
【００６０】
また上述の実施の形態においては、着信音を携帯電話より伝送する場合について述べたが、本発明はこれに限らず、着信の通知によりモニタ装置側で着信音を生成するようにしてもよい。
【００６１】
また上述の実施の形態においては、双方向通信手段としてBluetooth を適用する場合について述べたが、本発明はこれに限らず、他の無線通信システムを適用しても良く、また光通信手段により双方向通信手段を構成してもよい。
【００６２】
さらに上述の実施の形態においては、通話時、マイクより得られる音声信号だけを通話対象に送出する場合、またこれとは逆に通話対象より得られる音声信号だけをスピーカから出力する場合について述べたが、本発明はこれに限らず、再生中のオーディオ信号をこれらの音声信号とミキシングして通話対象、ユーザーの音声信号と共に試聴できるようにしてもよい。なおこの場合、オーディオデータ及び音声データの時分割多重化の処理によりこれらを伝送してミキシングするように構成することもできる。
【００６３】
さらに上述の実施の形態においては、メモリカードに記録された音楽コンテンツを再生する場合について述べたが、本発明はこれに限らず、光記録媒体、磁気記録媒体に記録された音楽コンテンツを再生する場合にも広く適用することができる。
【００６４】
また上述の実施の形態においては、音楽を試聴するシステムに本発明を適用する場合について述べたが、本発明はこれに限らず、例えばオーディオデータと共にビデオデータを試聴するシステム等にも広く適用することができる。
【００６５】
【発明の効果】
上述のように本発明によれば、モニタ装置より着信音を出力した後、このモニタ装置との間で音声信号を送受してモニタ装置で取得した音声信号を通話対象に送出すると共に、通話対象の音声信号をモニタ装置より出力することにより、音楽等をヘッドフォンで楽しんでいる場合であっても、電話の着信を認識してスムーズに会話することができる。
【図面の簡単な説明】
【図１】本発明の第１の実施の形態に係る情報提供システムを示す平面図及び斜視図である。
【図２】図１の情報提供システムにおけるモニタ装置を示すブロック図である。
【図３】図１の情報提供システムにおける携帯電話を示すブロック図である。
【図４】図１の情報提供システムにおける音楽再生時の構成を示すブロック図である。
【図５】図１の情報提供システムにおける着信処理時の構成を示すブロック図である。
【図６】図１の情報提供システムにおける通話時の構成を示すブロック図である。
【図７】本発明の第２の実施の形態に係る情報提供システムを示す平面図及び斜視図である。
【図８】図７の情報提供システムにおけるモニタ装置を示すブロック図である。
【図９】図７の情報提供システムにおける携帯電話を示すブロック図である。
【図１０】図７の情報提供システムにおける再生装置を示すブロック図である。
【符号の説明】
１、５１……情報提供システム、２、５２……モニタ装置、３、５３……携帯電話、６、７、１３……スピーカ、１０、１６……マイク、２３、３３、５５、５６、６６……制御部、５４……再生装置
【図１】
0004329232.tif 000002
【図２】
0004329232.tif 000003
【図３】
0004329232.tif 000004
【図４】
0004329232.tif 000005
【図５】
0004329232.tif 000006
【図６】
0004329232.tif 000007
【図７】
0004329232.tif 000008
【図８】
0004329232.tif 000009
【図９】
0004329232.tif 000010
【図１０】
0004329232.tif 000011